(57)【要約】【課題】浮力体の幅方向両側が自由状態とはなっておらず、長期の使用に耐える水泳補助具を提供する。【解決手段】独立気泡の発泡材からなって屈曲性を有し、浮力を発生させる長板状浮力材１１、及び外側に布材が貼着された布状ゴムシート材を主体とし、長板状浮力材１１の外側を被覆するカバーシート１３を有する長尺の浮力体１４と、浮力体１４の長手方向両側にそれぞれの一端部が固定された第１、第２の装着バンド１５、１６とを有し、第１の装着バンド１５の他端部には、第１の掛け止め具１８が設けられ、第２の装着バンド１６の他端部には第１の掛け止め具１８に掛合する第２の掛け止め具１９が、必要に応じその装着位置を変更可能に設けられている。【選択図】図１
0003211678.tif 000002
【実用新案登録請求の範囲】
【請求項１】
独立気泡の発泡材からなって屈曲性を有し、浮力を発生させる長板状浮力材、及び外側に布材が貼着された布状ゴムシート材を主体とし、前記長板状浮力材の外側を被覆するカバーシートを有する長尺の浮力体と、
前記浮力体の長手方向両側にそれぞれの一端部が固定された第１、第２の装着バンドとを有し、
前記第１の装着バンドの他端部には、第１の掛け止め具が設けられ、前記第２の装着バンドの他端部には前記第１の掛け止め具に掛合する第２の掛け止め具が設けられていることを特徴とする水泳補助具。
【請求項２】
請求項１記載の水泳補助具において、前記第２の掛け止め具には、前記第２の装着バンドに対してその取り付け位置を変更可能な移動掛止部が設けられていることを特徴とする水泳補助具。
【請求項３】
請求項１又は２記載の水泳補助具において、前記長板状浮力材は幅が１０〜１５ｃｍ、長さが４０〜７０ｃｍ、厚みが２〜５ｃｍの範囲にあることを特徴とする水泳補助具。
【請求項４】
請求項１〜３のいずれか１項に記載の水泳補助具において、前記カバーシートは、一枚の前記布状ゴムシート材を２つ折りし、その接合端部を縫合して袋状としていることを特徴とする水泳補助具。
【請求項５】
請求項１〜４のいずれか１項に記載の水泳補助具において、前記カバーシートの一部に１又は２の水抜き孔が設けられていることを特徴とする水泳補助具。
【考案の詳細な説明】
【技術分野】
【０００１】
本考案は、水泳の練習中、又は水泳中に腰部又は胸部に装着して、腰部又は胸部に浮力を発生させる水泳補助具に関する。
【背景技術】
【０００２】
従来、水泳に対して初心者が水泳の練習を行う場合は、特許文献１に記載のように、ビート板が使用されていた。ところが、ビート板を使用すると、足の練習は可能であるが、手の動きの練習はできないので、例えば、特許文献２に記載のように、板状又はベルト状の浮力体の両側に紐を取り付けた水泳補助具が提案されている。
【先行技術文献】
【特許文献】
【０００３】
【特許文献１】特開平０７−１７１２３１号公報
【特許文献２】実開平０７−２７６２５号公報
【特許文献３】特開２００２−６５８９４号公報
【考案の概要】
【考案が解決しようとする課題】
【０００４】
しかしながら、特許文献２記載の水泳補助具は、紐を使用しているので、紐が身体に当たって、又は紐の結び目が身体に当たって不快感を感じる場合があり、ベルト状のものに変更しても、紐を使用するので、取付け及び取り外しが面倒であった。
また、特許文献３に記載のように、浮力体に適当数の切り目を設け、これにバンドを通して、使用者の腰に装着するものも提案されているが、バンドは浮力体の幅方向中央を挿通し、浮力体の幅方向両側（即ち、上下端）はフリーであるので、破損し易いという問題があった。
【０００５】
本考案はかかる事情に鑑みてなされたもので、浮力体の幅方向両側が自由状態とはなっておらず、長期の使用に耐える水泳補助具を提供することを目的とする。
【課題を解決するための手段】
【０００６】
前記目的に沿う本考案に係る水泳補助具は、独立気泡の発泡材からなって屈曲性を有し、浮力を発生させる長板状浮力材、及び外側に布材が貼着された布状ゴムシート材を主体とし、前記長板状浮力材の外側を被覆するカバーシートを有する長尺の浮力体と、前記浮力体の長手方向両側にそれぞれの一端部が固定された第１、第２の装着バンドとを有し、前記第１の装着バンドの他端部には、第１の掛け止め具が設けられ、前記第２の装着バンドの他端部には前記第１の掛け止め具に掛合する第２の掛け止め具が設けられている。ここで、第１、第２の装着バンドの材料として、伸縮性のない布製の平ベルト、伸縮性を有する布製の平ベルト、又はゴム製の平ベルトを使用するのが好ましい。
【０００７】
また、本考案の水泳補助具において、前記第２の掛け止め具には、前記第２の装着バンドに対してその取り付け位置を変更可能な移動掛止部が設けられているのが好ましく、装着バンドが伸縮性がないもの（例えば、布製ベルト）であっても使用者のサイズに合わせて、第１、第２の掛け止め具を掛合できる。
【０００８】
本考案の水泳補助具において、前記長板状浮力材は幅が１０〜１５ｃｍ、長さが４０〜７０ｃｍ、厚みが２〜５ｃｍの範囲にあるのがよいが、本考案はこの数値に限定されない。
【０００９】
本考案の水泳補助具において、前記カバーシートは、一枚の前記布状ゴムシート材を２つ折りし、その接合端部を縫合して袋状とするのが好ましい。これによって、縫合箇所が少なくて済み、安価に製造できる。
【００１０】
そして、本考案に係る水泳補助具において、前記カバーシートの一部に１又は２の水抜き孔が設けられているのが好ましい。これによって、長板状浮力材を包むカバーシート内に水等が侵入しても排除できる。なお、水抜き孔の直径は１〜３ｍｍ程度であるのが好ましい。
【考案の効果】
【００１１】
本考案に係る水泳補助具は、独立気泡の発泡材からなる長板状浮力材と、その周囲を囲むカバーシートとを有し、カバーシートは、主として外側を布材が貼着された布状ゴムシート材からなっているので、表面の布材への着色が自由である。一方、カバーシートの内側はゴムシート材となっているので十分な強度を持たせることができ、摩耗にも強い。更に、浮力体の長手方向両側にそれぞれの一端部が固定された第１、第２の装着バンドを有し、第１の装着バンドの他端部には、第１の掛け止め具が設けられ、第２の装着バンドの他端部には第１の掛け止め具に掛合する第２の掛け止め具が設けられているので、簡単に使用者に装着できる。
【００１２】
本考案に係る水泳補助具において、第２の掛け止め具に、第２の装着バンドに対してその取り付け位置を変更可能な移動掛止部が設けられている場合は、使用者の体形に合わせて、この水泳補助具を装着できる。
【図面の簡単な説明】
【００１３】
【図１】（Ａ）は本考案の一実施の形態に係る水泳補助具の正面図、（Ｂ）は同水泳補助具の平面図である。
【図２】（Ａ）、（Ｂ）は同水泳補助具に使用する第１、第２の掛け止め具の説明図、（Ｃ）は図２（Ａ）のＰ−Ｐ’断面図である。
【図３】（Ａ）は同水泳補助具の正面図、（Ｂ）は同水泳補助具の平面図、（Ｃ）は同水泳補助具の底面図、（Ｄ）は同水泳補助具の背面図、（Ｅ）は同水泳補助具の左側面図、（Ｆ）は同水泳補助具の右側面図である。
【図４】（Ａ）、（Ｂ）はそれぞれ同水泳補助具の使用状態の説明図である。
【考案を実施するための形態】
【００１４】
続いて、図面を参照して、本考案を具体化した一実施の形態について説明し、本考案の理解に供する。
図１（Ａ）、（Ｂ）、図３（Ａ）〜（Ｆ）に示すように、本考案の一実施の形態に係る水泳補助具１０は、独立気泡の発泡材からなって屈曲性を有する長板状浮力材１１と、この長板状浮力材１１の外側を包むカバーシート１３とを備えた長尺の浮力体１４を有する。
【００１５】
長板状浮力材１１は例えば発泡ウレタン等、屈曲性及び引っ張り強度を十分に有する独立気泡（発泡率が例えば６０〜９８％）の合成樹脂材又はゴム材からなって、幅ｗが１０〜１５ｃｍ、長さＬが４０〜７０ｃｍ、厚みｔが２〜５ｃｍの範囲にある。これによって、浮力体１４は使用者Ｍ（水泳者）を水表面に浮かす十分な浮力を有している（図４参照）。
【００１６】
図１（Ａ）、（Ｂ）、図２（Ａ）〜（Ｃ）に示すように、水泳補助具１０は、浮力体１４の長手方向両側にそれぞれ一端部が固定された、幅が例えば４〜６ｃｍの第１、第２の装着バンド１５、１６を有する。第１の装着バンド１５の他端部には第１の掛け止め具１８が、第２の装着バンド１６の他端部（正確には折り曲げ他端部）には、第１の掛け止め具１８と掛合する第２の掛け止め具１９が設けられている。
【００１７】
第１、第２の掛け止め具１８、１９は通常ワンタッチバックル（市販）と言われるもので、それぞれ、図１（Ａ）、（Ｂ）に示すように、引っ掛け受け部２０を有する雌型（第１の掛け止め具１８の一例）と、引っ掛け部２１を有する雄型（第２の掛け止め具１９の一例）からなって、引っ掛け部２１が広がった状態で、引っ掛け受け部２０に掛止し、引っ掛け部２１を減幅することによって、引っ掛け部２１が引っ掛け受け部２０から外れる。
第２の掛け止め具１９は第２の装着バンド１６が挿通して折り返す２つの幅狭の縦長四角形の抜き孔２３、２４が設けられている。このような構造によって、第２の掛け止め具１９を第２の装着バンド１６の任意の位置に保持できる。なお、抜き孔２３、２４が移動掛止部の一例となる。
【００１８】
カバーシート１３の材質には外側に布材が貼着されたクロロプレンからなる厚みが２〜５ｍｍの布状ゴムシート材（クロロプレンゴム）が使用されている。
図１（Ａ）、（Ｂ）、図３（Ａ）〜（Ｆ）に示すように、カバーシート１３は、一枚の布状ゴムシート材を用意し、内側に長板状浮力材１１を入れた状態で、幅方向中間部で折り曲げ（２つ折りして）、カバーシート１３の端部を接着剤で接合して、外側に装飾用の飾り布２５を付けた後、掬い縫いによって縫合して袋状としている。図１（Ｂ）、図３（Ｂ）、（Ｃ）において、２６は縫合部を示す。なお、カバーシート１３の長手方向中央には、直径が１〜３ｍｍの水抜き孔２７、２８を設けておく（一つでもよい）。水抜き孔２７、２８の位置は、浮力体１４の表裏それぞれの中央で、使用時下部位置とするのがよい。
【００１９】
この水泳補助具１０の使用方法について、図４（Ａ）、（Ｂ）を参照しながら説明する。図４（Ａ）の場合は、浮き板３０を使用し、使用者Ｍの腰の部分に水泳補助具１０を装着している。従来、浮き板３０のみの練習では、足の部分が沈んで身体を水平にすることが困難であったが、この水泳補助具１０を用いることによって、下半身を浮かせることができる。
また、図４（Ｂ）に示すように、浮き板を使用しない場合も、この水泳補助具１０を用いることによって、身体の水平状態を維持できる。
【００２０】
本考案は以上の実施の形態に限定されることなく、機能を損なわない範囲で形状変更、寸法変更は可能であり、更に本考案に係る水泳補助具を救命具として使用できる。
【符号の説明】
【００２１】
１０：水泳補助具、１１：長板状浮力材、１３：カバーシート、１４：浮力体、１５：第１の装着バンド、１６：第２の装着バンド、１８：第１の掛け止め具、１９：第２の掛け止め具、２０：引っ掛け受け部、２１：引っ掛け部、、２３、２４：抜き孔、２５：飾り布、２６：縫合部、２７、２８：水抜き孔、３０：浮き板
【図１】
0003211678.tif 000003
【図２】
0003211678.tif 000004
【図３】
0003211678.tif 000005
【図４】
0003211678.tif 000006